(57)【要約】【課題】  本発明はこのような事情を考慮してなされたもので、蛍光ランプの組立時に蛍光ランプの外部リード線が点灯装置の接続ピンに巻きつけられて電気的および機械的に接続する作業性が良好であり、その接続を確実に行えることを目的とする。【解決手段】このような電球形蛍光ランプ１のように、発光管４の電極封止端部４ａ，４ｂから導出されたアウターワイヤー４ｅと、回路基板に配設されたラッピングピン７ｃを巻きつけた側面からレーザー溶接し凹部９を形成することで、一層小形化された回路基板７ａに密に複数の電子部品およびラッピングピン７ｃを実装されていたとしても、溶接部が比較的離れた距離であっても確実に溶接することができるため、作業性が良好となる。【選択図】  図１
2010238501.tif 000002
【特許請求の範囲】
【請求項１】
口金を有するカバーと；
屈曲形成されて一対の封止端部に各フィラメント電極と接続されているバルブ端部から導出された外部リード線を有し、カバーに取り付けられた発光管と；
複数の電子部品および発光管の外部リード線が巻き付けられた接続ピンの少なくとも一部に凹部が形成された接続ピンを実装する回路基板を有し、カバー内に収容される点灯装置と；
を具備しており、外部リード線径は凹部の深さ長よりも小さいことを特徴とする電球形蛍光ランプ。
【請求項２】
発光管の外部リード線を巻きつけられた接続ピンの凹部の最大径は、接続端子の長手方向を直交する方向の長さよりも大きいことを特徴とする請求項１記載の電球形蛍光ランプ。
【請求項３】
発光管の外部リード線を巻きつけられた接続ピンの凹部は溶接により形成されたことを特徴とする請求項１または２記載の電球形蛍光ランプ。
【請求項４】
一対の封止端部から導出された外部リード線は、隣り合う接続ピンに巻き方向が異なることを特徴とする請求項１ないし３いずれか一記載の電球形蛍光ランプ。
【請求項５】
請求項１ないし４いずれか一記載の電球形蛍光ランプと；
この電球形蛍光ランプが取り付けられる器具本体と；
を具備していることを特徴する照明装置。
【発明の詳細な説明】
【技術分野】
【０００１】
本発明は、電球形蛍光ランプおよびこの電球形蛍光ランプを具備した照明装置に関する。
【背景技術】
【０００２】
電球形蛍光ランプは、気密な放電空間を形成する発光管、この発光管の両端に封着された一対のフィラメント電極と接続されて発光管の端部から導出される外部リード線を点灯装置側に電気的および機械的に接続している。
【０００３】
しかし、小形化が進むことで電球形蛍光ランプのカバー内はさらに狭小空間となるため、その中に収容する点灯装置も同様に小形化が必要となる。複数の電子部品が実装され回路基板の小形化に伴い蛍光ランプと点灯装置を接続する接続ピンを配設することが困難となるので、ランプ側外部リード線と回路側ワイヤーを互いに捩り合わされて両者を接続していた。（例えば、特許文献１参照）。
【０００４】
一方、捩り合わせによる接続は、自動組化は困難であるため、機械による自動組立の場合、狭小基板上に接続ピンを設け、両者を接続させる方法も採用される。しかし、ラッピング接続方法を採用し、リード線の接続部分の温度が１００℃以上になるランプは、電気用品安全法の規則により、さらに接続加工を施すことが定められているため、さらにはんだ接続を行っていた。ところが、接続ピン同士、接続ピンと電子部品は回路基板の小形化によって互いに近接配置しているため、はんだ盛りにより互いが接触するおそれがあるという問題があった。
【先行技術文献】
【特許文献】
【０００５】
【特許文献１】特許第４０２６０７２号公報
【発明の概要】
【発明が解決しようとする課題】
【０００６】
本発明はこのような事情を考慮してなされたもので、蛍光ランプの組立時に蛍光ランプの外部リード線が点灯装置の接続端子に巻きつけられて電気的および機械的に接続する作業性が良好であり、その接続を確実に行えることを目的とする。
【課題を解決するための手段】
【０００７】
請求項１記載の電球形蛍光ランプは、口金を有するカバーと；屈曲形成されて一対の封止端部に各フィラメント電極と接続されているバルブ端部から導出された外部リード線を有し、カバーに取り付けられた発光管と；複数の電子部品および発光管の外部リード線が巻き付けられた接続ピンの少なくとも一部に凹部が形成された接続端子を実装する回路基板を有し、カバー内に収容される点灯装置と；を具備していることを特徴とするものである。
【０００８】
発光管の外部リード線を巻きつけられた接続ピンに形成された凹部の形状は、半球状、楕円状、円錐状、多角形状であってもその形状は限定されない。また、凹部は接続ピンに巻きつけにより接続されたリード線の領域のみ凹部が形成されている場合、凹部の外部リード線の溶着部分と接続端子が接続しているもの、リード線を巻きつける接続ピンまで達するような凹部であっても良く、接続ピンの長さ方向に直交する方向に貫通するような孔であっても構わない。さらに、凹部は、１本の接続ピンに対して複数個所形成されていても構わない。複数個所形成されているものにおいては、接続ピンの高さ方向が異なる方向に形成されていても、接続ピンの周方向に異なる方向に形成されていても構わない。
【０００９】
複数の電子部品および接続ピンが突設された回路基板は、口金を含むカバー内側の中心線の方向に沿って縦形に配置されていても、電球形蛍光ランプの長手方向に直交するように横形に配置されていても構わない。さらに、回路基板上に突設された４本の接続ピンは一面に近接するよる並設されている又は、２本ずつ離間するように並設されているほか、２本の接続ピンが基板の両面にそれぞれ並設されているものであっても構わない。
【００１０】
点灯装置は、例えば高周波出力を発光管に印加して発光管を点灯させる電子部品を主体としたインバータ回路などで構成してもよい。
【００１１】
カバー体は発光管を間接的または直接的に支持する場合のいずれでもよい。発光管を間接的に支持する場合には、カバーの他端側に発光管取り付け可能なホルダを用いるのが好ましい。
【００１２】
口金は、Ｅ形と称されるねじ込みタイプが通常使用されるが、一般照明用電球が装着されるソケットに取り付け可能であればこれに限定しない。
【００１３】
電球形蛍光ランプは、発光管を覆うグローブを有していてもよく、その形状は一般白熱電球のシルエットと略同形状をなしていることが望ましいが、球形状や、円筒状であっても構わない。さらに、光拡散膜などが形成されたガラス製や樹脂製など、材質も限定されない。
【００１４】
請求項２記載の電球形蛍光ランプは、発光管の外部リード線が巻きつけられた接続ピンの凹部の最大径は、接続ピンの長手方向を直交する方向の長さよりも大きいことを特徴とする請求項１記載の電球形蛍光ランプ。
【００１５】
リード線が巻きつけられた接続ピンの凹部の最大径とは、深さ方向に適用せず、接続ピンの凹部上面から見たときの平面形状の最大径をいう。すなわち、凹部上面から見たときの平面形状が略円形である場合には、その円形最大径を示す。平面形状が円形を２つ重なるような漢数字の八のような形状であれば、八の字の括れを結ぶ方向と直交する方向を示す。また、平面形状が多角形の場合には、その対角線を最大径とする。
【００１６】
請求項３記載の電球形蛍光ランプは、請求項１または２記載の発光管の外部リード線を巻きつけられた接続ピンの凹部は溶接により形成されたことを特徴とするものである。
【００１７】
リード線が巻きつけられた接続ピンに形成された凹部は、超音波溶接の他に、アーク溶接、プラズマ溶接、レーザー溶接などの溶接による溶け込むことにより、それぞれが確実に接続可能であればその溶接方法は限定されない。
【００１８】
請求項４記載の電球形蛍光ランプは、一対の封止端部から導出された外部リード線は、隣り合う接続ピンに巻き方向が異なることを特徴とする請求項１ないし３いずれか一記載の電球形蛍光ランプ。
【００１９】
隣り合う接続ピンの巻きはじめを、２本の接続ピンの内側から外側へ向けてまきつけた場合、正面視左側に巻きつけられる外部リード線は左回り、正面視右側の外部リード線は右回りとなる。なお、このような巻き方向に限られるものではなく、要は隣り合う接続ピント巻き方向が異なるものであれば構わない。
【００２０】
要は、隣り合う接続ピンが近接配置された場合、隣り合う接続ピンに巻きつける外部リード線の巻き方向を異なる方向とすることで、特に巻き始めにおいて隣の接続ピンと接触し、短絡することを抑制し、作業性を向上することができる。
【００２１】
請求項５記載の照明装置は、請求項１ないし４いずれか一記載の電球形蛍光ランプと；この電球形蛍光ランプが取り付けられる器具本体と；を具備しているものである。
【発明の効果】
【００２２】
請求項１記載の電球形蛍光ランプによれば、発光管のバルブ端部から導出された外部リード線が巻き付けられた接続ピンの少なくとも一部に凹部が形成されているので、発光管と点灯装置の接続を作業が容易にかつ確実におこなうことができる。また、外部リード線を巻きつけた接続ピンの上から接続を確実にさせるために、はんだを行う必要がないので、接続ピン間および接続ピンと電子部品が近接配置されていても両者が不所望に接触することを避けることができる。
【００２３】
請求項２記載の電球形蛍光ランプによれば、発光管の外部リード線を巻きつけられた接続ピンの長手方向を直交する長さよりも凹部の最大径が大きいように凹部を形成しているので、互いの接続を確実に行うことができる。
【００２４】
請求項３記載の電球形蛍光ランプによれば、発光管の外部リード線を巻きつけられた接続ピンの凹部は溶接により形成されているので、接続ピンに巻き付けた後にはんだを盛ることがなく、小形化された回路基板上に接続ピンを近接配置しても不所望に両者が接触することを抑制することができる。
【００２５】
請求項４記載の電球形蛍光ランプによれば、隣り合う接続ピンに巻きつける外部リード線の巻き方向を異なる方向とすることで、特に巻き始めにおいて隣の接続ピンと接触し、短絡することを抑制し、作業性を向上することができる。
【００２６】
請求項５記載の照明装置によれば、請求項１ないし４いずれか一記載の電球形蛍光ランプを具備しているので、これら電球形蛍光ランプの作用効果を有する照明装置を提供することができる。
【図面の簡単な説明】
【００２７】
【図１】本発明の第１の実施形態に係る電球形蛍光ランプを示す一部縦断正面図。
【図２】リード線を巻き付けた接続ピンにレーザー溶接している概略図。
【図３】図２で示すレーザー溶接後の凹部平面および側面拡大図。
【図４】本発明の実施形態である照明装置を示す概略構成図。
【発明を実施するための形態】
【００２８】
以下、本発明の実施形態を添付図面に基づいて説明する。なお、複数の添付図面中、同一または相当部分には、同一符号を付している。
【００２９】
図１は本発明の第１の実施形態にかかわる電球形蛍光ランプを示す一部縦断正面図、図２は、リード線を巻き付けた接続ピンにレーザー溶接している概略図、図３は図２で示すレーザー溶接後の接続端子凹部平面および側面拡大図、図４は本発明の実施形態である照明装置を示す概略構成図である。
【００３０】
図１に示すように電球形蛍光ランプ１は、その高さ方向（管軸方向）の一端（図１では下端）に口金２を有するカバー３、このカバー３の他端（図１では上端）側に支持された発光管４、この発光管４の一端側を支持するカバー３に取り付けられたホルダ５、発光管４を覆うとともに一端側でホルダ５の周囲も覆ってカバー３に取り付けられたグローブ６、口金２およびカバー３の内側に収納された点灯装置７を備えている。そして、定格電力が例えば４０Ｗタイプ、６０Ｗタイプ、１００Ｗタイプの白熱電球などの一般照明用電球に近い寸法と外観に形成されている。この一般照明用電球とは、ＪＩＳ  Ｃ  ７５０１に定義されている。
【００３１】
口金２は、エジソンタイプのＥ２６形などで、ねじ山を備えた筒状のシェル２ａ、このシェル２ａの一端側の頂部に絶縁部２ｂを介して設けられたアイレット２ｃを備えている。シェル２ａは、その他端側をカバー３の一端部に被せて接着剤またはかしめなどにより固定されている。
【００３２】
カバー３は、例えばポリブチレンテレフタレート（ＰＢＴ）などの耐熱性合成樹脂により図１中下方に向けて漸次縮径する逆円錐台状部と円筒状部を一体に連成したカバー本体３ａを有し、このカバー本体３ａの一端（図１中下端）側には口金２のシェル２ａが取り付けられ、カバー本体３ａの他端側（図１中上端側）には、取付端部である環状の開口取付端部３ｂが形成されている。
【００３３】
この取付端部３ｂ内には、カバー本体３ａの円錐台状部と円筒部との連結部内側の環状凸状段部３ｃ上にて、ホルダ５の下部円筒状開口端を載置し固着している。
【００３４】
すなわち、ホルダ５は例えばＰＢＴ等の耐熱性合成樹脂により有蓋円筒状に形成され、その蓋部をなす円板状の基板部５ａの図中下面周縁部に、一端（図１では下端）側に突出する円筒状の円筒部５ｂを一体に連成し、この円筒部５ｂの図１中開口下端を、カバー本体３ａの凸状段部３ｃ上に載置し接着剤等により固着している。
【００３５】
ホルダ５は、基板部５ａ上に、発光管４の一対の電極封止端部４ａ，４ｂを載置させて支持する支持凹部と、これら電極封止端部４ａ，４ｂ同士の間隙内に突出して、その径方向のずれを規制する筒状突部５ｃを突設している。基板部５ａは、その筒状突部５ｃの外側にて、挿通孔５ｄ，５ｅをそれぞれ形成し、これら挿通孔５ｄ，５ｅには、発光管４の一対の電極封止端部４ａ，４ｂからその外方へ突出する細管４ｃとアウターワイヤー４ｄ，４ｄをそれぞれ挿通させるようになっている。
【００３６】
グローブ６は、透明または光拡散性を有するガラスや合成樹脂などの材質により、白熱電球などの一般照明用電球のガラス球の形状に近い滑らかな曲面状に形成されている。すなわち、グローブ６は、ほぼ球状に形成された球状部６ａの図１中下端部に、この球状部６ａの直径よりも小径に漸次縮径されたほぼ円筒状の縮径部６ｂを一体に連成しており、球状部６ａはグローブ６の最大径を示す最大径部６ｃを有する。縮径部６ｂは、グローブ６の一端部（図１中下端部）に開口端部６ｄが形成され、この開口端部６ｄの縁部がカバー３の開口取付端部３ｂの内側に嵌合されて例えばシリコーン樹脂やエポキシ樹脂などの接着剤により接着固定されている。
【００３７】
ガラスバルブ４ｇは、その内面に、希土類等の蛍光体膜をほぼ全長に亘って形成し、両端部には、一対の電極をそれぞれ封装して電極封止端部４ａ，４ｂをそれぞれ形成している。
【００３８】
ガラスバルブ４ｇの電極封止端部４ａ，４ｂに封装された各電極は、フィラメントコイルを有しており、このフィラメントコイルが一対の線状インナーリード線に支持されたジュメット線を解して電極封止端部４ａ，４ｂから外部へ銅製のアウターワイヤー４ｄが導出されている。
【００３９】
点灯装置７は、点灯回路パターンを形成した縦基板７ａをホルダ５内面の一対の縦溝内に嵌入して固定している。すなわち、ホルダ５は、その内面に、その直径方向で対向する一対の縦溝をホルダ５の軸方向に形成し、この縦溝内に縦基板７ａの幅方向両側縁部を嵌入させて固定している。縦基板７ａは片面または両面基板に構成され、その実装面には、電解コンデンサ等のリード部品やトランジスタ等のチップ部品等の点灯回路部品である複数の電子部品７ｂ，７ｂ，…および４本のラッピングピン７ｃが配設されている。なお、ラッピングピン７ｃは、一辺が０．５〜１．０ｍｍ、回路基板面からの高さは１０ｍｍ程度に配設されている。
【００４０】
このように構成された電球形蛍光ランプ１によれば、一般照明用電球近似の外観を得ることができる。
【００４１】
次に、図２に示すとおり発光管４と点灯装置７の接続方法を説明する。
【００４２】
ホルダ５の基板部５ａ上に、発光管４の一対の電極封止端部４ａ，４ｂを載置させて支持し、ホルダ５の挿通孔５ｄ，５ｅに発光管４の一対の電極封止端部４ａ，４ｂおよび細管４ｃならびにアウターワイヤー４ｄ，４ｄをそれぞれ挿通させる。さらに、縦基板７ａのラッピングピン７ｃが配設されている側からホルダ５内面の一対の縦溝内に嵌入して固定している。
【００４３】
蛍光ランプの電極封止端部４ａ，４ｂから導出されているアウターワイヤー４ｅに対応するラッピングピン７ｃに例えば、ワイヤーラッパーにより縦基板７ａ正面視左から右回り、左回り、右回り、左回りに決められた回数を巻きまわしてそれぞれ接続する。
【００４４】
次に、アウターワイヤー４ｅが巻きつけられたラッピングピン７ｃの側面方向からラッピングピン７ｃ軸から２０〜９０度傾けてアウターワイヤー４ｅに対し、例えばＹＡＧレーザー溶接装置を用いて、レーザー光８ａを照射する。これにより、アウターワイヤー４ｅにおけるレーザー照射された部分においてアウターワイヤー４ｅの側部溶接された凹部９が形成され、確実な電気的接続が得られることとなる。
【００４５】
上述のように、アウターワイヤー４ｅがラッピングピン７ｃに巻きつけられた後に形成された凹部９を図３に拡大して示す。
【００４６】
図３ａには、ラッピングピン７ｃ側面から見たとき、その平面形状は楕円形に形成され、ラッピングピン７ｃの最大径Ａよりも凹部９最大径ａは大きく形成されている。また、図３ｂには、アウターワイヤー４ｅがラッピングされたラッピングピン７ｃに形成された凹部は、ラッピングピン７ｃ側面から貫通した孔が形成されている。
【００４７】
このような電球形蛍光ランプ１のように、発光管４の電極封止端部４ａ，４ｂから導出されたアウターワイヤー４ｅと、回路基板に配設されたラッピングピン７ｃを巻きつけた側面からレーザー溶接し凹部９を形成することで、一層小形化された回路基板７ａに密に複数の電子部品およびラッピングピン７ｃを実装されていたとしても、溶接部が比較的離れた距離であっても確実に溶接することができるため、作業性が良好となる。さらに、点灯中の発光管は部分的に１００℃以上になったとしても、ラッピングピンとアウターワイヤーはレーザーを照射し溶着しているので、点灯中の熱影響を受け、アウターワイヤー４ｅが緩んだりすることを抑制できるとともに接続を容易に確実に行うことができる。
【００４８】
図４は本発明の第２の実施形態に係る照明装置１１の概略構成図である。この照明装置１０は、例えばダウンライト等の照明装置であり、照明器具本体１１を有する。この照明器具本体１１内にはソケット１２および反射体１３が取り付けられ、ソケット１２には上記電球形蛍光ランプ１の口金２がねじ込みにより装着される。
【００４９】
この照明装置１１によれば、電球形蛍光ランプ１が下方に向いているので、直下照度を向上させることができる。
【符号の説明】
【００５０】
１…電球形蛍光ランプ、２…口金、３…カバー、３ａ…カバー本体、４…発光管、４ａ，４ｂ…電極封止端部、４ｄ…アウターワイヤー、５…ホルダ、５ａ…ホルダの基板部、５ｃ…ホルダの筒状支持部、５ｄ，５ｅ…ホルダの取付孔、６…グローブ、７…点灯装置、７ａ…点灯装置の縦基板、７ｂ…点灯装置の電子部品、７ｃ…ラッピングピン、８…レーザー、８ａ…レーザー光、９…凹部、１０…照明装置、１１…照明器具本体。
【図１】
2010238501.tif 000003
【図２】
2010238501.tif 000004
【図３】
2010238501.tif 000005
【図４】
2010238501.tif 000006